(57)【要約】【課題】装置本体を開閉蓋も含めて覆うことができて装置本体に水や埃が浸入することを確実に防止でき、開閉蓋を支障なく開くことができる記録媒体読取装置のカバーを提供する。【解決手段】装置外面に記録媒体収納部を閉塞する開閉蓋７を回動自在に設けた記録媒体読取装置１のカバーである。記録媒体読取装置１の外面を覆う外面カバー部２６は、前記開閉蓋７に対応する部分に形成した蓋用開口部４０と、蓋用開口部４０から露出する開閉蓋７の外面を覆う蓋カバー部２７を備える。蓋カバー部２７を開閉蓋７の回動に追従して回動可能となるようにその一端部を外面カバー部２６に回動自在に接続する。【選択図】図１
2007328858.tif 000002
【特許請求の範囲】
【請求項１】
装置外面に記録媒体収納部を閉塞する開閉蓋を回動自在に設けた記録媒体読取装置のカバーであって、記録媒体読取装置の外面を覆う外面カバー部は、前記開閉蓋に対応する部分に形成した蓋用開口部と、該蓋用開口部から露出する開閉蓋の外面を覆う蓋カバー部を備え、該蓋カバー部を開閉蓋の回動に追従して回動可能となるようにその一端部を外面カバー部に回動自在に接続して成ることを特徴とする記録媒体読取装置のカバー。
【請求項２】
前記蓋カバー部の周縁部は蓋用開口部の周縁部と重複していることを特徴とする請求項１に記載の記録媒体読取装置のカバー。
【発明の詳細な説明】
【技術分野】
【０００１】
本発明は記録媒体収納部を閉塞する開閉蓋を回動自在に設けた記録媒体読取装置のカバーに関する。
【背景技術】
【０００２】
従来からＤＶＤ（Ｄｉｇｉｔａｌ  Ｖｅｒｓａｔｉｌｅ  Ｄｉｓｃ）等の記録媒体を読み取り、再生や記録を行う記録媒体読取装置が利用されている。この種の記録媒体読取装置には例えば特許文献１に示すポータブル型のＤＶＤプレイヤーのように記録媒体を出入自在に収納する記録媒体収納部を装置外面に回動自在に設けた開閉蓋で閉塞するものがある。
【０００３】
ところで記録媒体読取装置は電気機器であるため水や埃に弱く、これら水や埃が装置内に浸入した場合は故障の原因となるし、またポータブル型の記録媒体読取装置の場合は持ち運び時に装置外面が傷付きやすいという問題もあり、これらの問題を改善するには記録媒体読取装置の外面をカバーで覆う必要がある。
【０００４】
しかし上記特許文献１に示すような記録媒体読取装置の外面をカバーで覆った場合、このカバーで装置表面に設けた開閉蓋も覆われるため、記録媒体収納部から記録媒体を出し入れする際にはその都度カバーを記録媒体読取装置から取り外し、この後、開閉蓋を開閉する必要があり、非常に面倒である。
【特許文献１】特開２００５−２４２２８４号公報
【発明の開示】
【発明が解決しようとする課題】
【０００５】
本発明は上記従来の問題点に鑑みて発明したものであって、装置本体の外面を開閉蓋も含めて覆うことができて装置本体に水や埃が浸入することを確実に防止でき、尚且つ開閉蓋を支障なく開くことができる記録媒体読取装置のカバーを提供することを課題とするものである。
【課題を解決するための手段】
【０００６】
上記課題を解決するために本発明に係る記録媒体読取装置のカバーは、装置外面に記録媒体収納部を閉塞する開閉蓋７を回動自在に設けた記録媒体読取装置１のカバーであって、記録媒体読取装置１の外面を覆う外面カバー部２６は、前記開閉蓋７に対応する部分に形成した蓋用開口部４０と、該蓋用開口部４０から露出する開閉蓋７の外面を覆う蓋カバー部２７を備え、該蓋カバー部２７を開閉蓋７の回動に追従して回動可能となるようにその一端部を外面カバー部２６に回動自在に接続して成ることを特徴とする。このように記録媒体読取装置１の外面を覆う外面カバー部２６に前記開閉蓋７に対応する部分に形成した蓋用開口部４０と、該蓋用開口部４０から露出する開閉蓋７の外面を覆う蓋カバー部２７を設けることで、外面カバー部２６で装置本体２の開閉蓋７を除く外面を覆うと共に、蓋カバー部２７で開閉蓋７を覆うことができ、装置本体２に水や埃が浸入することを確実に防止できる。しかも装置本体２の開閉蓋７を開いた際には、開閉蓋７は外面カバー部２６に当たることなく蓋用開口部４０を通過し、またこの時、蓋カバー部２７が開閉蓋７の回動に追従して回動するので、開閉蓋７を蓋カバー部２７で覆ったにも関わらず開閉蓋７を支障なく開くことができる。
【０００７】
また請求項２は請求項１において、前記蓋カバー部２７の周縁部は蓋用開口部４０の周縁部と重複していることを特徴とする。これにより装置本体２への水や埃の浸入をより一層防止できる。
【発明の効果】
【０００８】
請求項１に係る発明では、外面カバー部で装置本体の外面を覆うと共に蓋カバー部で装置本体の開閉蓋を覆うことができ、装置本体に水や埃が浸入することを確実に防止でき、また装置本体の開閉蓋を開いた際には蓋カバー部が開閉蓋の回動に追従して回動するので、開閉蓋を蓋カバー部で覆ったにも関わらず開閉蓋を支障なく開くことができる。
【０００９】
また請求項２に係る発明では、請求項１に係る発明の効果に加えて、装置本体への水や埃の浸入をより確実に防止できる。
【発明を実施するための最良の形態】
【００１０】
以下、本発明を添付図面に示す実施形態に基づいて説明する。
【００１１】
本実施形態のカバー２３ａ、２３ｂで覆われる記録媒体読取装置１は記録媒体再生装置に分類されるＤＶＤプレイヤーであり、図示しないＤＶＤからなるディスク型記録媒体の記録情報を再生可能なものである。具体的には図１や図２に示すように装置本体２と、液晶モニタを表示部４として備えた薄型の表示装置３とからなり、図示しないバッテリーを備えた装置本体２で記録媒体を読み取り、読み取った記録情報を表示部４で表示可能なポータブル型ＤＶＤプレイヤーである。
【００１２】
表示装置３はその一端部を装置本体２の後端部に設けたヒンジ部５を介して回動自在に連結してあり、図１のように装置本体２に対して表示装置３を起立させて表示部４を前方から観賞可能な使用形態にしたり、また装置本体２と表示装置３を折り重ねて小型で持ち運びが容易な形態にしたりできる。
【００１３】
略薄型矩形箱状をした外形を有する装置本体２の中央には上面側に開口して記録媒体を出入自在に収納可能な記録媒体収納部（図示せず）を形成してあり、装置本体２はこの記録媒体収納部に上面側から嵌め込まれた記録媒体を図示しない内蔵装置で読み取る。
【００１４】
記録媒体収納部は装置本体２の上面に設けた平面視略矩形状の開閉蓋７で閉塞される。開閉蓋７は閉じた状態では後端部となる一端部を装置本体２に枢支してあり、装置本体２に対して後端部を軸に上下方向に回動自在となっている。従って装置本体２に対して連結した開閉蓋７を上方に回動して開くことで記録媒体収納部に記録媒体を出し入れ可能な状態にでき、またこの状態から開閉蓋７を下方に回動して閉じることで装置本体２の上面の一部を開閉蓋７で構成できる。開閉蓋７はばね機構等により開き方向に常時力を付与されると共に閉じた状態では装置本体２に対して係止可能となっており、装置本体２の上面に設けたオープン釦８ａを押し操作することで前記装置本体２に対する係止を解除して自動的に開くものである。
【００１５】
また図３に示すように装置本体２の一方の側端面の後端部にはＤＣプラグ接続部９を設けてあり、該ＤＣプラグ接続部９には図４に示すように一端をＡＣアダプター１０に接続したＤＣコード１２の他端に設けたＤＣプラグ１３を着脱自在に接続できる。従って一端をＡＣアダプター１０に接続した電源コード１４の他端に設けた電源プラグ１５を建物の電源コンセント１６（図１２参照）等の外部交流電源に接続することで、交流電圧をＡＣアダプター１０で直流電圧に変換して装置本体２やバッテリーに給電できる。
【００１６】
また図５に示すように装置本体２のＤＣプラグ接続部９を設けた側端面とは反対側の側端面の後部にはアンテナプラグ接続部１７を設けてあり、該アンテナプラグ接続部１７にはアンテナコード１８の一端に設けた装置側プラグ１９を着脱自在に接続できる。従ってアンテナコード１８の他端に設けたアンテナ側プラグ２０を建物のアンテナコンセント２１（図１２参照）等に接続することで、装置本体２に内蔵のチューナにより表示部４にテレビ放送を表示できる。
【００１７】
また図２等に示すように装置本体２の各種操作釦８は装置本体２の上面において開閉蓋７の外側に設けてあり、図示例では装置本体２の開閉蓋７を挟んだ左右方向の両側のうち、片側に多数の操作釦８を配置し、他側において開閉蓋７の前端部の側方に位置する箇所に前述のオープン釦８ａを配置している。また装置本体２の開閉蓋７を挟んだ両側の後端部には音声を出力するスピーカー部２２を設けている。
【００１８】
次に上記記録媒体読取装置１のカバー２３ａ、２３ｂについて説明する。記録媒体読取装置１のカバーには、図２のように装置本体２を保護する本体カバー２３ａと、表示装置３を保護する表示装置カバー２３ｂとがあり、本体カバー２３ａ及び表示装置カバー２３ｂは別体であって夫々は図６（ａ）や図７（ａ）に示すシート状のカバー形成材２４ａ、２４ｂを組み立てて形成される。
【００１９】
図６（ａ）に示す本体カバー２３ａを形成するための本体カバー形成材２４ａは、装置本体２の外面を覆う外面カバー部２６と開閉蓋７の外面を覆う蓋カバー部２７を備え、外面カバー部２６及び蓋カバー部２７は共に透明で且つ可撓性を有するシートで構成してしてある。
【００２０】
外面カバー部２６は、装置本体２の上面後縁部から前端面を介して下面の前部に至る部分を覆う略矩形状の上前下カバー部２８と、上前下カバー部２８の両側に位置して装置本体２の側端面の上端部から下面の側端部に至る部分を覆う略矩形状の側下カバー部２９と、２つの帯状部３０を備えている。ここで上前下カバー部２８において、装置本体２の上面、前端面、下面の前部の夫々を覆う部分を上覆部３２、前覆部３３、下前覆部３４とし、また各側下カバー部２９において装置本体２の側端面及び下面の側端部を覆う部分を夫々側覆部３５及び下側覆部３６とする。
【００２１】
各側下カバー部２９は上前下カバー部２８の上覆部３２から外側に向けて突出している。また上覆部３２の前覆部３３とは反対側の端縁の両側端部からは帯状部３０を外方に向けて突出し、各帯状部３０の突端部は他部の巾狭部３７よりも巾広の巾広部３８となっている。また下前覆部３４の両側端部には該下前覆部３４における上覆部３２と反対側の端縁と平行に伸びるスリットからなる差込孔３９を複数（図示例では３条）並設している。各差込孔３９の長さは対応する帯状部３０の巾狭部３７よりも広く且つ巾広部３８よりも狭い。また外面カバー部２６の上覆部３２において装置本体２の開閉蓋７に対応する部分には開閉蓋７と略同形で略矩形状の蓋用開口部４０を形成している。なお各側下カバー部２９は前述の装置本体２の側端面に設けたＤＣプラグ接続部９やアンテナプラグ接続部１７等を覆う位置には設けていない。
【００２２】
また外面カバー部２６の上覆部３２上には蓋カバー部２７を設けている。蓋カバー部２７はその一縁部を上覆部３２における蓋用開口部４０の前覆部３３と反対側の端縁部（詳しくは蓋用開口部４０から若干前覆部３３と反対側に離れた箇所）の上面に接続してあり、それ以外の部分は上覆部３２に接続されていない。つまりこの蓋カバー部２７は前述したように可撓性を有するシートであるため、外面カバー部２６の上覆部３２に接続した縁部を中心に上下方向に回動自在となっている。また蓋カバー部２７は蓋用開口部４０と略同形の略矩形状で蓋用開口部４０の全部を閉塞できるように蓋用開口部４０よりもやや大きく形成してあり、これにより蓋カバー部２７を外面カバー部２６の上覆部３２上に重ねた状態では蓋カバー部２７の全周に亘る周縁部が上覆部３２における蓋用開口部４０の周縁部と重複する。
【００２３】
上記本体カバー形成材２４ａを組み立てて本体カバー２３ａを形成するには、図６（ａ）の矢印に示すように外面カバー部２６の上覆部３２に対して各側下カバー部２９の側覆部３５及下側覆部３６を下側及び内側に順次折り曲げると共に、上覆部３２に対して前覆部３３及び下前覆部３４を下側及び後側に順次折り曲げて、各側下カバー部２９の下側覆部３６の下側に下前覆部３４を重ね、この後、各帯状部３０を下側及び前側に順次折り曲げ、図６（ｃ）に示すように各帯状部３０の巾広部３８を対応する複数の差込孔３９のうち任意の差込孔３９の上側から挿通して、図６（ｂ）のように各帯状部３０の端部を下前覆部３４に接続する。
【００２４】
このように形成された図２や図６（ｂ）に示す本体カバー２３ａは、上面部、前端面部、下面部の前部、側端面部、下面部の両側端部の夫々が、本体カバー形成材２４ａの上覆部３２、前覆部３３、下前覆部３４、側覆部３５、各下側覆部３６で構成されると共に、この上覆部３２の後縁の両側端部と下前覆部３４の両側端部が各帯状部３０で接続され、両帯状部３０間から後方及び下方に開口した略袋状のものとなる。またこの本体カバー２３ａの上覆部３２の中央に蓋用開口部４０が位置し、該上覆部３２上に前述の蓋カバー部２７が位置する。なおこの時、下前覆部３４の両側端部と下側覆部３６の前部は重複する。
【００２５】
上記本体カバー２３ａを装置本体２に取付けるには、図２の矢印に示すように本体カバー２３ａの各帯状部３０に対応する部分である両側の端部を外側に広がるように曲げながら、装置本体２の前方から本体カバー２３ａを被せて本体カバー２３ａの内側に装置本体２を挿入し、この後、本体カバー２３ａの両側端部を内側に曲げ戻して、本体カバー２３ａの上面部と各帯状部３０で囲まれた部分の内側に装置本体２の両側端部を挿入して嵌め込む。なおこの本体カバー２３ａの上面部と各帯状部３０で囲まれた部分の大きさは、帯状部３０の巾広部３８を挿入する差込孔３９を選択することで調節できる。
【００２６】
このように装置本体２に本体カバー２３ａを取付けることで、図１に示すように装置本体２の上面の開閉蓋７を除く全部、前端面、下面の前部、ＤＣプラグ接続部９やアンテナプラグ接続部１７を除く側端面を、外面カバー部２６によって覆うことができる。またこの場合、装置本体２の開閉蓋７を蓋カバー部２７によって覆うことができ、これにより装置本体２に水や埃が浸入することを確実に防止できる。さらにはこの場合、蓋カバー部２７の周縁部は蓋用開口部４０の周縁部と重複するので、装置本体２への水や埃の浸入をより一層防止できる。またこの装置本体２に取付けた本体カバー２３ａは前述したように透明で且つ可撓性を有するシートで形成してあるため、装置本体２に本体カバー２３ａを取付けた状態で装置本体２の各種操作釦８を視認できると共に前述のオープン釦８ａを含む各種操作釦８を本体カバー２３ａの上から操作できる。さらにはこの本体カバー２３ａの記録媒体読取装置１の外面を覆う外面カバー部２６は、開閉蓋７に対応する部分に形成した蓋用開口部４０と、該蓋用開口部４０から露出する開閉蓋７の外面を覆う蓋カバー部２７を備えており、この蓋カバー部２７はその一端部を外面カバー部２６に回動自在に接続しているので、前述のようにオープン釦８ａを操作して開閉蓋７を開いた際には、開閉蓋７は外面カバー部２６に当たることなく蓋用開口部４０を通過し、またこの時、蓋カバー部２７が開閉蓋７の上面に載った状態で開閉蓋７の回動に追従して回動することとなり、開閉蓋７を支障なく開くことができる。また当然、開閉蓋７を閉じる際にも支障がない。
【００２７】
次に図２に示す表示装置カバー２３ｂを形成するための表示装置カバー形成材２４ｂについて説明する。なお以下では、表示装置３を装置本体２に対して折り重ねた状態において表示装置３の装置本体２の上面に対向する面を表示装置３の前面として表示装置３の説明に用いる方向を定義し、つまり以下の表示装置３の説明では装置本体２に対して略垂直に起立した状態にある時の方向を用いて説明する。
【００２８】
図７（ａ）に示す表示装置カバー形成材２４ｂは、表示装置３の外面を覆う外カバー部５０を備え、外カバー部５０は前述の本体カバー形成材２４ａの外面カバー部２６や蓋カバー部２７と同様の材質からなり、つまり透明で且つ可撓性を有するシートで構成してある。
【００２９】
外カバー部５０は、表示装置３の前面の下縁部から上端面を介して後面の上部に至る部分を覆う略矩形状の前上下カバー部５１と、２つの帯片部５２を備えている。ここで前上下カバー部５１において、表示装置３の前面、上端面、後面の上部の夫々を覆う部分を前覆い部５３、上覆い部５４、後覆い部５５とする。前上下カバー部５１の前覆い部５３の両側縁からは帯片部５２を外側方に向けて突出してあり、各帯片部５２の突出端部は他部の幅狭部５６よりも巾広の幅広部５７となっている。また後覆い部５５の両側端部には該後覆い部５５における側縁と平行に伸びるスリットからなる挿通孔５８を複数（図示例では３条）並設している。各挿通孔５８の長さは対応する帯片部５２の幅狭部５６よりも広く且つ幅広部５７よりも狭い。
【００３０】
上記表示装置カバー形成材２４ｂを組み立てて表示装置カバー２３ｂを形成するには、図７（ａ）の矢印に示すように前上下カバー部５１の前覆い部５３に対して上覆い部５４及び後覆い部５５を後側及び下側に順次折り曲げ、次に各帯片部５２を後側及び内側に順次折り曲げ、図７（ｃ）の矢印に示すように各帯片部５２の幅広部５７を対応する複数の挿通孔５８のうち任意の挿通孔５８の前側から挿通して、図７（ｂ）のように各帯片部５２の端部を後覆い部５５に接続する。なお前覆い部５３と後覆い部５５の間隔は、帯片部５２の幅広部５７を挿入する挿通孔５８を選択することで調節できる。
【００３１】
このように形成された図７（ｂ）に示す表示装置カバー２３ｂは、前面部、上端面部、後面部の夫々が表示装置カバー形成材２４ｂの前覆い部５３、上覆い部５４、後覆い部５５で構成されると共に、前覆い部５３の両側縁の上部と後覆い部５５の両側端部が各帯片部５２で接続され、下方が開口した略袋状のものとなる。
【００３２】
上記表示装置カバー２３ｂを表示装置３に取付けるには、図２の矢印に示すように装置本体２に対して起立した表示装置３の上方から表示装置カバー２３ｂを被せて該表示装置カバー２３ｂの内側に表示装置３を挿入する。このように表示装置３に表示装置カバー２３ｂを取付けることで、表示装置３の前面の全部、上端面、後面の上部を外カバー部５０によって覆うことができ、表示装置３を水や埃から保護できる。またこの表示装置３に取付けた表示装置カバー２３ｂは前述したように透明で且つ可撓性を有するシートで形成してあるため、表示装置３に表示装置カバー２３ｂを取付けた状態で表示装置３の表示部４を観賞できる。
【００３３】
また上記のように記録媒体読取装置１に本体カバー２３ａ及び表示装置カバー２３ｂを取付けることで、以下に示すように記録媒体読取装置１を水がかかりやすいキッチン等の水廻りにおいても利用可能となる。
【００３４】
図８は上記本体カバー２３ａ及び表示装置カバー２３ｂを取付けた記録媒体読取装置１をシステムキッチン６０上方の壁面６１に設置した例を示しており、該記録媒体読取装置１を壁面６１に設置するにあたって図９及び図１０に示す機器設置台６を利用している。なお以下の説明の記録媒体読取装置１には既述したように本体カバー２３ａ及び表示装置カバー２３ｂを取付けてあるものとする。
【００３５】
機器設置台６は、壁面６１に固着される取付金具からなる取付部６２と、記録媒体読取装置１の装置本体２を載置する載置テーブルからなる載置部６３と、取付部６２及び載置部６３を連結する連結金具からなる連結部６４を備えている。
【００３６】
取付部６２は図１０（ａ）に示すようにねじのような固着具６５により壁面６１に沿って固着される縦片部６６と、縦片部６６の上端部から前方に突出する横片部６７を備えている。取付部６２の横片部６７上には連結部６４の後部を配置してあり、横片部６７と連結部６４の後部は枢支部５９を介して左右方向に回動自在に連結している。載置部６３の後端部の両側からは下方に向けて下向突片６９を突設し、各下向突片６９は連結部６４の両側から上方に向けて突出した上向突片７０の夫々と重複して、この位置で枢支部６８を介して上下方向に回動自在に連結されている。これにより載置部６３は図８（ａ）の想像線で示すように連結部６４と共に取付部６２に対して左右方向に回動して首振りしたり、また連結部６４に対して上下方向に回動して、図９（ａ）に示すように載置部６３を水平よりも前側が下側に位置するようにやや傾斜して横向きに寝かした状態と、この状態から載置部６３を跳ね上げて図９（ｂ）に示すように略鉛直に起立して壁面６１に沿わせた状態とに変更できるようになっている。なお図１０（ｂ）に示すように取付部６２を壁面６１に固着した状態においては縦片部６６に挿通される固着具６５は取付部６２に取付けられる金具カバー２５により覆い隠せるようになっている。
【００３７】
ここで上記機器設置台６の載置部６３はアルミ製で図９（ａ）に示すように外周形状が装置本体２よりもやや大きい矩形状をしている。載置部６３の中央には上下方向（厚み方向）に貫通する矩形状の開口部７１を形成してあり、これにより載置部６３は全体で矩形枠状に形成されている。載置部６３にはステンレス製で上方及び両側方に開口して側断面略コ字状のアダプターケース７３の上部を開口部７１に嵌め込んだ状態で取付けている。
【００３８】
アダプターケース７３は載置部６３の開口部７１とで平面視矩形状のアダプター収納用凹部７４を形成するものであり、該載置部６３の上面に設けたアダプター収納用凹部７４の容量はＡＣアダプター１０と記録媒体読取装置１に接続されるＡＣアダプター１０のＤＣコード１２や電源コード１４の余長部分をも収納できる程度となっている。またアダプター収納用凹部７４の底部を構成するアダプターケース７３の下部は載置部６３の下面よりもさらに下方に突出し、該載置部６３から突出したアダプターケース７３の下部の左右両側の開口で矩形状のコード挿通孔７５を形成している。また載置部６３の下面においてアダプター収納用凹部７４の底部の両側の位置にはコードクリップ７６を設けている。
【００３９】
また載置部６３にはその上面に載置される記録媒体読取装置１の装置本体２を保持する保持手段として、前側の左右の隅部に前角保持部７７を設けると共に後端中央部に後保持部７８を設けている。各保持部７７、７８は両端を載置部６３に接続して載置部６３上に突設したステンレス製の線材からなる。このうち、各前角保持部７７の載置部６３から立ち上げた両端部の立上部７９間は載置部６３の角部に沿って平面視略Ｌ字状に屈曲した角押さえ部８０で構成してあり、該Ｌ字状の角押さえ部８０の屈曲部分で装置本体２の対応する角部を押さえて載置部６３の上面との間に嵌め込めるようになっている。また後保持部７８は載置部６３から立ち上げた両端部間を載置部６３の後縁に沿った平面視略直線状の直線状部８２で構成すると共に、該直線状部８２の中央部を前斜め上方に向けて突曲して後押さえ部８３を形成してあり、該後押さえ部８３で装置本体２の後端部に形成したヒンジ部５からなる被嵌込部を押さえて該ヒンジ部５を載置部６３の上面との間に嵌め込めるようになっている。
【００４０】
上記機器設置台６の載置部６３上に記録媒体読取装置１の装置本体２を載置すると共に保持手段で保持して、機器設置台６上に記録媒体読取装置１を設置するには、図１１（ａ）の矢印に示すように装置本体２を斜め下前方に移動して該装置本体２の前角部を各前角保持部７７の角押さえ部８０と載置部６３の上面との間に挿入し、この後、後保持部７８を図１１（ｂ）の矢印に示すように後方に向けて弾性変形させ、該後保持部７８の後押さえ部８３と載置部６３の上面との間に挿入する。このように載置部６３の上面に装置本体２を載置し、且つ各保持部７７、７８の押さえ部８０、８３と載置部６３の上面との間に装置本体２の前角部及びヒンジ部５を嵌め込んだ状態では、各前角保持部７７の両端部である立上部７９に装置本体２の側端及び前端の夫々が当接し、且つ後保持部７８に装置本体２のヒンジ部５が当接し、この状態で載置部６３上に載置した装置本体２はがたつきなく固定される。
【００４１】
そして上記機器設置台６を利用して記録媒体読取装置１を壁面６１に設置するには、例えば図１０（ａ）のように機器設置台６の取付部６２を固着具６５により壁面６１に固着し、この後、図１２に示すように機器設置台６のアダプター収納用凹部７４に記録媒体読取装置１のＡＣアダプター１０を収納すると共に、該ＡＣアダプター１０に接続したＤＣコード１２及び電源コード１４の夫々をアダプター収納用凹部７４の両側のコード挿通孔７５のうち任意のコード挿通孔７５に通して、アダプター収納用凹部７４の底部の側方に引き出す。そして前述したように機器設置台６の載置部６３上に記録媒体読取装置１を設置し、この記録媒体読取装置１のＤＣプラグ接続部９にＤＣプラグ１３装置側プラグ１９を接続すると共に、電源プラグ１５を電源コンセント１６に接続する。なおＡＣアダプター１０のＤＣコード１２や電源コード１４に余長部分がある場合は、該余長部分をアダプター収納用凹部７４に収納する。また記録媒体読取装置１でテレビ放送を観賞できるようにするには、アンテナプラグ接続部１７にアンテナコード１８の装置側プラグ１９を接続すると共にアンテナ側プラグ２０をアンテナコンセント２１に接続する。またＡＣアダプター１０のＤＣコード１２や電源コード１４、アンテナコード１８を図１３に示すように適宜コードクリップ７６にて保持する。
【００４２】
このように記録媒体読取装置１は上記機器設置台６を利用してシステムキッチン６０上方の壁面６１等に設置することができ、例えば料理レシピを記録した記録媒体を記録媒体読取装置１により読み取って表示部４に表示することで料理レシピを見ながら料理をしたりできる。
【００４３】
また上記機器設置台６にはアダプター収納用凹部７４を形成してあるので、該アダプター収納用凹部７４に記録媒体読取装置１に接続されるＡＣアダプター１０を収納でき、またこのアダプター収納用凹部７４の上開口は機器設置台６の載置部６３上に設置されてアダプター収納用凹部７４に対向する記録媒体読取装置１によって覆い隠されるので、ＡＣアダプター１０が載置部６３上に露出せず、外観を向上できる。またアダプター収納用凹部７４の底部を載置部６３から記録媒体読取装置とは反対側に向けて突出し、該載置部６３から突出したアダプター収納用凹部７４の底部の側面部に前記ＡＣアダプター１０に接続したコードを挿通可能なコード挿通孔７５を形成してあるので、アダプター収納用凹部７４に収納したＡＣアダプター１０のＤＣコード１２や電源コード１４を外部に引き出すことができ、ＤＣプラグ接続部９を下面のアダプター収納用凹部７４に対向する部分に設けていない記録媒体読取装置１にも対応できる。また上記アダプター収納用凹部７４の底部の左右両側にコード挿通孔７５を形成したので、図１２（ａ）、図１３（ａ）に示すように電源コンセント１６が機器設置台６の右側に位置する場合と、図１２（ｂ）、図１３（ｂ）に示すように左側に位置する場合との両方に対応できる。
【００４４】
なお以上説明した本体カバー２３ａ及び表示装置カバー２３ｂが取付けられる記録媒体読取装置１は装置外面に記録媒体収納部を閉塞する開閉蓋７を回動自在に設けたものであれば良く、ゲーム機や、ノートパソコン等のその他の記録媒体読取装置１にも適用できる。また上記記録媒体読取装置１の本体カバー２３ａは表示装置カバー２３ｂと別体であり、表示装置３は表示装置カバー２３ｂにより保護しているが、本体カバー２３ａに既述した表示装置カバー２３ｂ同様に表示装置３を覆う表示装置カバー２３ｂ部を一体に設けても良いものとする。
【図面の簡単な説明】
【００４５】
【図１】本発明の実施の形態の一例を示し、カバーを取付けた記録媒体読取装置を機器設置台上に設置した状態を示す斜視図である。
【図２】同上の記録媒体読取装置へのカバーの取付方法を示す説明図である。
【図３】同上の機器設置台に設置した記録媒体読取装置の装置本体の一側端面の後端部を示す拡大斜視図である。
【図４】同上の記録媒体読取装置に接続されるＡＣアダプターを示す斜視図である。
【図５】同上の機器設置台に設置した記録媒体読取装置の装置本体の他側端面の後端部を示す拡大斜視図である。
【図６】（ａ）は本体カバー形成材の斜視図、（ｂ）は本体カバー形成材を組み立てて形成した本体カバーの斜視図、（ｃ）は本体カバーの帯状部の接続を示す説明図である。
【図７】（ａ）は表示装置カバー形成材の斜視図、（ｂ）は表示装置カバー形成材を組み立てて形成した表示装置カバーの斜視図、（ｃ）は表示装置カバーの帯状部の接続を示す説明図である。
【図８】同上の記録媒体読取装置を機器設置台を利用してキッチンの壁面に取付けた状態を示し、（ａ）は平面図、（ｂ）は側面図である。
【図９】（ａ）は機器設置台を横向きにした状態を示す斜視図であり、（ｂ）は機器設置台を跳ね上げた状態を示す斜視図である。
【図１０】（ａ）は機器設置台の壁面への取付けを示す説明図であり、（ｂ）はこの機器設置台への金具カバーの取付けを示す説明図である。
【図１１】（ａ）は機器設置台への記録媒体読取装置の設置を示す説明図であり、（ｂ）は後保持部で装置本体の保持する場合を示す説明図である。
【図１２】機器設置台のアダプター収納用凹部に電源コンセントに接続したＡＣアダプターを収納した状態を示す説明図であり、（ａ）は機器設置台の右側に電源コンセント及びアンテナコンセントがある場合、（ｂ）は機器設置台の左側に電源コンセント及びアンテナコンセントがある場合を示すものである。
【図１３】記録媒体読取装置を設置した機器設置台を壁に沿って跳ね上げた状態を示す斜視図であり、（ａ）は機器設置台の右側に電源コンセント及びアンテナコンセントがある場合、（ｂ）は機器設置台の左側に電源コンセント及びアンテナコンセントがある場合を示すものである。
【符号の説明】
【００４６】
１  記録媒体読取装置
７  開閉蓋
２３  カバー
２６  外面カバー部
２７  蓋カバー部
４０  蓋用開口部
【図１】
2007328858.tif 000003
【図３】
2007328858.tif 000004
【図４】
2007328858.tif 000005
【図５】
2007328858.tif 000006
【図６】
2007328858.tif 000007
【図７】
2007328858.tif 000008
【図８】
2007328858.tif 000009
【図９】
2007328858.tif 000010
【図１０】
2007328858.tif 000011
【図１１】
2007328858.tif 000012
【図１２】
2007328858.tif 000013
【図１３】
2007328858.tif 000014
【図２】
2007328858.tif 000015